(57)【要約】【課題】本発明は、デジタル放送の受信時に、仮想チャンネルの番号が複数の物理チャンネル間で重なる場合において、仮想チャンネルの登録時の操作性を高めるデジタル放送受信装置を提供する。【解決手段】  チューナ２１、ＴＶデコーダ２２、録画部３、ＯＳＤ合成部５、セレクタ４１、４２、Ｄ／Ａ変換器６１、６２、制御部７、操作部８を備える。制御部７は、チャンネル走査機能７１、オートプリセット機能７２、マニュアルプリセット機能７３を備える。チャンネル走査機能７１がチャンネルテーブルを作成し、オートプリセット機能７２がこのテーブルを基に仮想チャンネルを設定し、複数の物理チャンネル間で重複している場合には、重複している旨の表示をし、操作部８から所定の入力を受けた場合に空チャンネル番号を検索して自動的に設定する。録画予約時にもこの表示を行い、空チャンネル番号を検索し、チャンネル番号を自動的に設定する。  【選択図】図１
2008085725.tif 000002
【特許請求の範囲】
【請求項１】
指示を受けた物理チャンネルのデジタル放送を受信して、各物理チャンネルに含まれる仮想チャンネルの番号を取得するチューナ部と、
前記チューナ部に物理チャンネルを指示して、該物理チャンネル毎に前記仮想チャンネルの番号を取得し、前記指示する物理チャンネルを所定の範囲で走査することにより、物理チャンネルと仮想チャンネルを対応させたチャンネルテーブルを記録するチャンネルテーブル記録手段と、
前記デジタル放送をデコードして映像信号を表示器に出力する映像出力手段と、
前記映像信号に重ねて、装置本体の各種設定をするためのＯＳＤ表示の映像信号を表示器に出力するＯＳＤ手段と、
前記デジタル放送の映像信号を所定の形式にエンコードして記録する録画手段と、
以上の各部を制御する制御手段と、を備え、
前記制御手段は、前記チャンネルテーブルに基づいて、仮想チャンネルのチャンネル番号の設定を自動的に行うオートプリセット手段を有するデジタル放送録画装置において、
前記設定したチャンネルについて番組予約する番組予約手段を備え、
前記制御手段は、
前記オートプリセット手段の実行が指示された場合に、複数の物理チャンネルに従属する仮想チャンネルの番号が物理チャンネル間で重複しているときは、この番号が重複している旨のＯＳＤ表示を指示し、
このＯＳＤ表示がされているときに、該重複した仮想チャンネルのチャンネル番号の設定の指示を受けた場合には、仮想チャンネルとして設定されていない空チャンネル番号を検索し、前記重複している仮想チャンネルの番号のうちの一方を前記空チャンネル番号のいずれかに設定するチャンネル設定機能と、
前記番組予約の実行が指示された場合に、物理チャンネルを走査するよう前記チャンネルテーブル手段に指示し、これにより作成したチャンネルテーブルに基づいて、複数の物理チャンネルに従属する仮想チャンネルの番号が物理チャンネル間で重複しているかどうかを判断し、複数の物理チャンネルに従属する仮想チャンネルの番号が物理チャンネル間で重複しているときは、この番号が重複している旨のＯＳＤ表示を指示し、
該重複した仮想チャンネルのチャンネル番号の設定が指示された場合には、仮想チャンネルとして設定されていない空チャンネル番号を検索し、前記重複している仮想チャンネルの番号のうちの一方を前記空チャンネル番号のいずれかに設定し、該設定したチャンネル番号で録画することを前記録画手段に指示する録画予約時チャンネル設定機能と、を有するデジタル放送録画装置。
【請求項２】
指示を受けた物理チャンネルのデジタル放送を受信して、各物理チャンネルに含まれる仮想チャンネルの番号を取得するチューナ部と、
前記チューナ部に物理チャンネルを指示して、該物理チャンネル毎に前記仮想チャンネルの番号を取得し、前記指示する物理チャンネルを所定の範囲で走査することにより、物理チャンネルと仮想チャンネルを対応させたチャンネルテーブルを記録するチャンネルテーブル記録手段と、
前記デジタル放送をデコードして映像信号を表示器に出力する映像出力手段と、
前記映像信号に重ねて、装置本体の各種設定をするためのＯＳＤ表示の映像信号を表示器に出力するＯＳＤ手段と、
前記デジタル放送の映像信号を所定の形式にエンコードして記録する録画手段と、
以上の各部を制御する制御手段と、を備え、
前記制御手段は、前記チャンネルテーブルに基づいて、仮想チャンネルのチャンネル番号の設定を自動的に行うオートプリセット手段を有するデジタル放送録画装置において、
前記制御手段は、
前記オートプリセット手段の実行が指示された場合に、複数の物理チャンネルに従属する仮想チャンネルの番号が物理チャンネル間で重複しているときは、この番号が重複している旨のＯＳＤ表示を指示し、
このＯＳＤ表示がされているときに、該重複した仮想チャンネルのチャンネル番号の設定が指示された場合には、仮想チャンネルとして設定されていない空チャンネル番号を検索し、前記重複している仮想チャンネルの番号のうちの一方を前記空チャンネル番号のいずれかに設定するデジタル放送受信装置。
【請求項３】
指示を受けた物理チャンネルのデジタル放送を受信して、各物理チャンネルに含まれる仮想チャンネルの番号を取得するチューナ部と、
前記チューナ部に物理チャンネルを指示して、物理チャンネル毎に前記仮想チャンネルの番号を取得し、前記指示する物理チャンネルを所定の範囲で走査することにより、物理チャンネルと仮想チャンネルを対応させたチャンネルテーブルを記憶手段に記録するチャンネルテーブル記録手段と、
前記チャンネルテーブルに基づいて、仮想チャンネルのチャンネル番号の設定を自動的に行うオートプリセット手段と、
前記デジタル放送をデコードして映像信号を表示器に出力する映像出力手段と、
前記映像信号に重ねて装置本体の各種設定をするためのＯＳＤ表示の映像信号を表示器に出力するＯＳＤ手段と、
前記デジタル放送の映像信号を所定の形式にエンコードして記録する録画手段と、
以上の各部を制御する制御手段と、を備えたデジタル放送録画装置において、
前記設定したチャンネルについて番組予約する番組予約手段を備え、
前記制御手段は、
前記番組予約する時に、複数の物理チャンネルに従属する仮想チャンネルの番号が物理チャンネル間で重複しているときは、この番号が重複している旨のＯＳＤ表示を指示し、
該重複した仮想チャンネルのチャンネル番号の設定が指示された場合には、仮想チャンネルとして設定されていない空チャンネル番号を検索し、前記重複している仮想チャンネルの番号のうちの一方を前記空チャンネル番号のいずれかに設定し、該設定したチャンネル番号で録画することを前記録画手段に指示するデジタル放送録画装置。
【請求項４】
前記制御手段は、
前記番組予約する時に、物理チャンネルを走査するよう前記チャンネルテーブル記録手段に指示し、これにより作成したデータベースに基づいて、前記仮想チャンネルの番号が重複しているかどうかを判断する請求項３に記載のデジタル放送録画装置。
【発明の詳細な説明】
【技術分野】
【０００１】
本発明は、デジタル放送の受信時に、異なる物理チャンネルに従属する仮想チャンネルの番号が重なる場合において、仮想チャンネルの登録時の操作性を高めるデジタル放送受信装置、デジタル放送録画装置に関する。
【背景技術】
【０００２】
従来、デジタル放送が実用化されており、各放送局からはそれぞれ所定周波数のＲＦ信号に乗せて、ＴＳ（トランスポートストリーム）が送信されている。このＲＦ信号のチャンネルを物理チャンネルという。また、このＴＳの中には、複数の番組が多重化されて送信することが可能であり、それぞれの番組に対応するチャンネルを仮想チャンネルという。
【０００３】
ユーザは、デジタル放送受信装置の最初の使用開始時に、これらの番組に対応する仮想チャンネルを登録する作業を行う。この登録作業の便宜を図るため、デジタル放送には、仮想チャンネルの番号の情報が含まれており、これに基づいて自動的に仮想チャンネルを登録するオートプリセット機能が実用化されている。
【０００４】
このオートプリセット機能は便利であるが、すべてのチャンネルを自動設定するのが困難な場合がある。特に、地域外のデジタル放送が受信できる場合には、各放送局の物理チャンネルに従属する仮想チャンネルの番号が重なることがある。この場合、オートプリセットをすると、一方の放送局の仮想チャンネルの登録が省略されたりして、オートプリセットをすると、必ずしもユーザの便宜にならない。そこで、この場合の操作性を向上する提案がなされている（特許文献１，２等）。
【０００５】
特許文献１には、地域外の放送が受信できる場合に、チャンネル番号が複数の放送で重複している場合でも所望の放送を受信するため、チャンネル番号に枝番号を付け、枝番号の設定をユーザに選択させる表示をする旨（図４等）、主番号の入力が完了した時点で、重複している旨のメッセージと共に、枝番号の選択をさせる旨の記載がある（図５、段落２８等）。さらに、段落２４には、起動時に物理チャンネルを走査する旨の記載がある。
また、特許文献２には、選択されているサブチャンネルを含む物理チャンネルのデジタル放送、アナログ放送を受信する上で、仮想チャンネルの登録作業の手間を削減するため、物理チャンネル毎（周波数毎）に仮想チャンネル番号、サブチャンネル番号を記憶、ＯＳＤ表示する装置が開示されている。
【特許文献１】特開２００４−３４３２３５公報
【特許文献２】特開２００４−２１４７７７公報
【発明の開示】
【発明が解決しようとする課題】
【０００６】
しかしながら、特許文献１の枝番号の選択は、主番号の選択の後、枝番号を選択する必要があるから２回の操作を必要とし、チャンネルが連番になっておらず、多くのチャンネルを上下キーで切り換える上で、却って面倒である問題があった。
【０００７】
また、この特許文献１には、１度枝番号の選択がされると、自動的にこの枝番号の放送を受信する旨の記載があるが、デジタル放送の録画予約時に、自動的にこの枝番号の放送を受信すると、意図する番組が録画できない可能性があった。
【０００８】
さらに、デジタル放送では、途中で放送が途絶えて復活することが頻繁に起こり、特許文献１の段落２４のように起動時に物理チャンネルを走査するだけでは、意図する番組を録画する上で確実とはいえない可能性があった。このような場合には、番組開始直前に録画予約する場合に、あるはずのチャンネルが表示されないと、ユーザは誤って同一の仮想チャンネル番号の別の番組（異なる物理チャンネルのもの）を録画開始する恐れがあった。特に録画予約時には、実際の放送を表示器で確認して録画できないから見誤る可能性が高い。そして、ユーザがこのチャンネルが表示されないと認識したとしても、物理チャンネルを走査するために再起動させざるを得なかった。この再起動している間に、録画したい番組の先頭を録画できない恐れがあった。
【０００９】
そこで、本発明は、デジタル放送の受信時に、異なる物理チャンネルに従属する仮想チャンネル番号が重なる場合に、仮想チャンネルの登録時の操作性を高めるデジタル放送受信装置、デジタル放送録画装置を提供することを目的とする。
【課題を解決するための手段】
【００１０】
本発明は、以下の構成を備えている。
【００１１】
（１）本発明は、
指示を受けた物理チャンネルのデジタル放送を受信して、各物理チャンネルに含まれる仮想チャンネルの番号を取得するチューナ部と、
前記チューナ部に物理チャンネルを指示して、該物理チャンネル毎に前記仮想チャンネルの番号を取得し、前記指示する物理チャンネルを所定の範囲で走査することにより、物理チャンネルと仮想チャンネルを対応させたチャンネルテーブルを記録するチャンネルテーブル記録手段と、
前記デジタル放送をデコードして映像信号を表示器に出力する映像出力手段と、
前記映像信号に重ねて、装置本体の各種設定をするためのＯＳＤ表示の映像信号を表示器に出力するＯＳＤ手段と、
前記デジタル放送の映像信号を所定の形式にエンコードして記録する録画手段と、
以上の各部を制御する制御手段と、を備え、
前記制御手段は、前記チャンネルテーブルに基づいて、仮想チャンネルのチャンネル番号の設定を自動的に行うオートプリセット手段を有するデジタル放送録画装置において、
前記制御手段は、
前記オートプリセット手段の実行が指示された場合に、複数の物理チャンネルに従属する仮想チャンネルの番号が物理チャンネル間で重複しているときは、この番号が重複している旨のＯＳＤ表示を指示し、
このＯＳＤ表示がされているときに、該重複した仮想チャンネルのチャンネル番号の設定が指示された場合には、仮想チャンネルとして設定されていない空チャンネル番号を検索し、前記重複している仮想チャンネルの番号のうちの一方を前記空チャンネル番号のいずれかに設定する。
【００１２】
この構成では、仮想チャンネルの番号が重複しているときは、制御手段がこの番号が重複している旨のＯＳＤ表示を指示するので、確実に所望の仮想チャンネルを選択できる。また、仮想チャンネルとして設定されていない空チャンネル番号を検索し、前記重複している仮想チャンネルの番号のうちの一方を前記空チャンネル番号のいずれかに設定するので、ユーザは、空チャンネル番号を探す必要がなく、その他のチャンネルと同一階層（枝番号でない）のチャンネル番号を設定することができる。
【００１３】
（２）本発明は、
指示を受けた物理チャンネルのデジタル放送を受信して、各物理チャンネルに含まれる仮想チャンネルの番号を取得するチューナ部と、
前記チューナ部に物理チャンネルを指示して、物理チャンネル毎に前記仮想チャンネルの番号を取得し、前記指示する物理チャンネルを所定の範囲で走査することにより、物理チャンネルと仮想チャンネルを対応させたチャンネルテーブルを記憶手段に記録するチャンネルテーブル記録手段と、
前記チャンネルテーブルに基づいて、仮想チャンネルのチャンネル番号の設定を自動的に行うオートプリセット手段と、
前記デジタル放送をデコードして映像信号を表示器に出力する映像出力手段と、
前記映像信号に重ねて装置本体の各種設定をするためのＯＳＤ表示の映像信号を表示器に出力するＯＳＤ手段と、
前記デジタル放送の映像信号を所定の形式にエンコードして記録する録画手段と、
以上の各部を制御する制御手段と、を備えたデジタル放送録画装置において、
前記設定したチャンネルについて番組予約する番組予約手段を備え、
前記制御手段は、
前記番組予約する時に、複数の物理チャンネルに従属する仮想チャンネルの番号が物理チャンネル間で重複しているときは、この番号が重複している旨のＯＳＤ表示を指示し、
該重複した仮想チャンネルのチャンネル番号の設定が指示された場合には、仮想チャンネルとして設定されていない空チャンネル番号を検索し、前記重複している仮想チャンネルの番号のうちの一方を前記空チャンネル番号のいずれかに設定し、該設定したチャンネル番号で録画することを前記録画手段に指示する。
【００１４】
この構成では、録画手段、番組予約手段を備えたデジタル放送録画装置である。この構成では、仮想チャンネルの番号が重複しているときは、制御手段がこの番号が重複している旨のＯＳＤ表示を指示するから、この番号が重複している場合でも、重複しているチャンネルのいずれかを確実に選択して、録画することができる。デジタル放送録画装置の初期設定時に重複した仮想チャンネルの番組を登録していない場合でも、確実に録画することができる。録画したファイルの整理上、元の重複したチャンネル番号でなく別のチャンネル番号で録画したい場合でも、デジタル放送録画装置が空いているチャンネル番号を検索するので、ユーザは、録画予約をすることができる。したがって、番組が開始する直前であっても、空いているチャンネル番号を慌てて探したり、探している間に録画したい番組の先頭を確実に録画できないという恐れを解消できる。
【００１５】
（３）本発明は、
前記制御手段は、
前記番組予約する時に、物理チャンネルを走査するよう前記チャンネルテーブル記録手段に指示し、これにより作成したチャンネルテーブルに基づいて、前記仮想チャンネルの番号が重複しているかどうかを判断する。
【００１６】
この構成では、番組予約する時に物理チャンネルを再度走査するので、重複しているチャンネルが存在する場合に、確実にユーザに知らせることができる。したがって、誤って同一の仮想チャンネル番号の別の番組（異なる物理チャンネルのもの）の録画を開始する恐れを解消できる。また、ユーザがこのチャンネルが表示されないと認識したとしても、物理チャンネルを走査するために再起動する必要がないから、再起動している間に録画したい番組の先頭を確実に録画できないという恐れを解消できる。
【発明の効果】
【００１７】
本発明によれば、仮想チャンネルの番号が重複しているときは、この番号が重複している旨のＯＳＤ表示の映像信号を前記表示器に出力するので、確実に所望の仮想チャンネルを選択できる。また、仮想チャンネルとして設定されていない空チャンネル番号を検索し、前記重複している仮想チャンネルの番号のうちの一方を前記空チャンネル番号のいずれかに設定するので、ユーザは、空チャンネル番号を探す必要がなく、その他のチャンネルと同一階層のチャンネル番号を設定することができる。
【発明を実施するための最良の形態】
【００１８】
図１を用いて、本実施形態のデジタル放送録画装置（図中１で図示）の構成について説明する。デジタル放送録画装置１は、デジタル放送を受信して、受信した番組を録画する録画装置であある。
まず、デジタル放送録画装置１の構成を説明する前提として、物理チャンネル、仮想チャンネルについて説明する。チャンネル各放送局からはそれぞれ１つの所定周波数のＲＦ信号に乗せて１つのＴＳ（トランスポートストリーム）が送信されている。このＲＦ信号のチャンネルを物理チャンネルという。また、このＴＳから複数の放送番組（以下単に番組という。）が多重化されて送信されることが多く、それぞれの番組に対応するチャンネルを仮想チャンネルといい、ユーザがリモコン等で番組を選択するためのチャンネルである。
【００１９】
次に、デジタル放送録画装置１の構成について説明する。複数のデジタル放送録画装置１は、アンテナ１０１から電波を受信して、ＴＳ（トランスポートストリーム）を得るチューナ部２１と、ＴＳから制御部７が指定した所定の仮想チャンネルの映像信号を得るＴＶデコーダ２２と、制御部７の録画予約機能７４の制御に応じて映像信号を記録する録画部３と、ＴＶデコーダ２２で生成した映像信号の出力、録画部３で記録した映像信号の出力を切り換え、選択して出力するセレクタ４と、装置１本体の各種状態や設定の表示とセレクタ４で選択した映像信号と合成した映像信号を出力するＯＳＤ（オンスクリーンディスプレイ）合成部５と、ＯＳＤ合成部５の映像信号の出力をアナログ信号に変換するＤ／Ａ変換器６と、これらの各部を制御する制御部７と、制御部７への制御信号を入力する操作部８とを備える。またデジタル放送録画装置１の外部に、Ｄ／Ａ変換器６の映像信号を表示する表示器１０２を備える。
【００２０】
チューナ部２１は、チューナ、復調回路、誤り訂正回路、分離回路、デマルチプレクサ、バッファメモリを備えている。チューナは、制御部７により指定されたチャンネルの放送信号を抽出し、復調回路に出力する。復調回路は、入力された放送信号を復調し、誤り訂正回路に出力する。誤り訂正回路は入力されたＴＳ（トランスポートストリーム）の誤り情報を訂正する。分離回路は、誤り訂正回路から出力された信号からＴＳを分離して、出力する。
【００２１】
ＴＳには複数の仮想チャンネルの番組が多重化されて送信されていると共に、仮想チャンネル番号の情報が含まれている。デマルチプレクサは、これらの仮想チャンネルのうちの１チャンネルのパケットを抽出して、抽出したパケットに格納されているデータをバッファメモリに記憶させるとともに、チャンネル番号の情報を制御部７に出力する。
【００２２】
ＴＶデコーダ２２は、制御部２からの指示又は許可を受けてから、チューナ２１内のバッファメモリが記憶するデータを適宜読み出す。そして、読み出したデータから映像データと音声データとを分離し、両データを伸長し、出力する。ＴＶデコーダ２２は、映像データを、セレクタ４１と録画部３に入力し、音声データをセレクタ４２と録画部３に入力する。
【００２３】
録画部３は、エンコーダ３１と、記録部３２と、デコーダ３３と、タイマ３４とを備え、制御部７の録画予約機能７４の制御により、ＴＶデコーダ２２の映像信号と音声信号を記録する。エンコーダ３１は、例えばＭＰＥＧ形式にエンコードする。記録部３２は、記録媒体（着脱可能なもののみならず添え付けのものを含む）と記録媒体への記録読み出しを行う記録/読み出し部で構成し、エンコードした映像信号を記録する。記録媒体は、ＣＤ、ＤＶＤ，ハードディスク、ビデオテープ等であり、映像信号を記録できるものであれば、何でも良い。記録/読み出し部は、例えば、記録媒体がＤＶＤであれば、光学ピックアップである。デコーダ３３は、記録部３２で読み出した映像信号をデコードする。
セレクタ４１は、ＴＶデコーダ２２、デコーダ３３の映像信号を選択する。セレクタ４２は、ＴＶデコーダ２２とデコーダ３３の音声信号を選択する。録画部３が動画ファイルを再生している時には、デコーダ３３の入力が選択され、そうでない場合には、ＴＶデコーダ２２の入力が選択される。
【００２４】
なお、以下では、映像信号と音声信号を記録することを「録画」という。
また、エンコーダ３１の記録方式をチューナ２１で受信するＴＳのエンコード方式と共通にすれば、ＴＶデコーダ２２とデコーダ３３は共用でき、デコーダ３３の代わりにＴＶデコーダ２２に記録部３２の信号を入力する。この場合、セレクタ４１、４２を廃止して、チューナ２１、記録部３２の出力を選択するセレクタをＴＶデコーダ２２の前に設ける。
【００２５】
ＯＳＤ合成部５は、デジタル放送録画装置１の各種設定を表示し、ユーザにこれらの設定を選択させるための文字図形の映像信号を出力する。ＯＳＤ合成部５は、ＯＳＤ画像メモリを備えており、制御部７から与えられる制御信号に基づいて、このＯＳＤ画像メモリが記憶している文字又は図形の映像信号を生成し、出力する。セレクタ４１から映像信号が出力されている場合にはこの映像信号を合成する。
【００２６】
Ｄ／Ａ変換部６１は、ＯＳＤ合成部５から出力した映像信号をアナログの映像信号に変換し、外部の表示器１０２（テレビ受像機等）に出力する。Ｄ／Ａ変換部６２は、セレクタ４２から出力された音声信号をアナログの音声信号に変換し、スピーカ１０３に出力する。
【００２７】
制御部７は、ＣＰＵで構成し、制御部７内のサブプログラムを格納するＲＯＭ（不図示）、制御部７の計算結果を一時的に記憶するＲＡＭ（不図示）を備え、デジタル放送録画装置１内の各部を制御する。例えば、チューナ２１内のバッファＲＡＭへの記録、読み出しタイミングや、セレクタ４１、４２の切替、記録部３２への記録タイミングなどを制御する。また、制御部７は、チャンネル走査機能７１、オートプリセット機能７２、マニュアルプリセット機能７３、録画予約機能７４を実行するための各プログラムを上記ＲＯＭ内に格納している。
【００２８】
チャンネル走査機能７１は、チューナ部２１に指示して、各物理チャンネルを走査して、仮想チャンネルの情報を収集し、これに従属する仮想チャンネルの番号とを対応させたチャンネルテーブルを作成する。具体的には、チューナ部２１に各物理チャンネルを指示して放送信号を抽出させ、チューナ部２１のデマルチプレクサから仮想チャンネル番号の情報を収集し、チャンネルテーブルをＲＡＭに記録する。前述の通り、各物理チャンネル放送信号から生成したＴＳには、仮想チャンネル番号の情報が含まれているから、各物理チャンネルの走査時に、この情報を収集する。
【００２９】
オートプリセット機能７２は、ユーザがデジタル放送録画装置１を購入した初期設定などの時に、各仮想チャンネルを自動的に設定する機能である。オートプリセット機能７２は、この機能の実行が指示された場合に、チャンネル走査機能７１を実行させ、この機能により作成されたチャンネルテーブルに基づいて仮想チャンネルを自動的に設定する。これにより、ユーザは操作部８のリモコンから仮想チャンネルを選択して番組を視聴することが可能となる。オートプリセット機能７２は、チャンネルテーブルを検索して、仮想チャンネルの番号が複数の物理チャンネルの間で重複しないか判断し、仮想チャンネルの番号が重複していないチャンネルについて仮想チャンネルを自動的に設定する。重複している場合には、重複している旨のポップアップ表示をＯＳＤ合成部５に出力させ、マニュアルプリセット機能７３の実行を促す。
【００３０】
マニュアルプリセット機能７３は、ユーザによる手動でのチャンネル設定を受け付ける機能である。例えば、現在表示器１０２に番組が表示されている状態で、操作部８から所定の操作入力がされた場合に、ＯＳＤ表示をして、この番組の仮想チャンネル番号の選択、設定を受け付ける。また、マニュアルプリセット機能７３は、オートプリセット機能７２を実施した結果、仮想チャンネルの番号が複数の物理チャンネルの間で重複していると制御部７が判断した場合には、この「重複している」旨のＯＳＤ表示を行い、所定の指示入力を受けると、仮想チャンネルが設定されていない空チャンネル番号を検索し、仮想チャンネルを自動的に設定する。
【００３１】
録画予約機能７４は、操作部８から所定の操作入力を受けた場合に、ＯＳＤ合成部５に指示して、所定のＯＳＤを表示させ、ユーザから録画時、録画チャンネルなどの選択および設定を受け付ける。この設定を受けた場合には、タイマ３４を作動させ、タイマ３４に測定した時刻が上記設定で指定された時刻になった場合には、所定のチャンネルの録画を開始させる。また、後述の図２のフローを実行する。
【００３２】
操作部８は、デジタル放送録画装置１に取り付けた操作子や、リモコンおよびリモコンからの赤外信号を受け付けるリモコン受光部で構成する。操作部８は、制御部７を操作するための制御入力を受け付ける。デジタル放送録画装置１またはリモコンの操作子が押下げられると、所定の制御入力が入力される。
【００３３】
なお、この実施形態ではＤ／Ａ変換部６１、６２を設けているが、外部にディジタル信号対応のテレビジョンを接続する場合は、Ｄ／Ａ変換部６１、６２を設ける必要はない。また、チャンネル走査機能７１は、チャンネルテーブルを記録部３２に記録してもよい。また、この実施形態では、アンテナ１０１から受信しているが、ケーブルテレビ送信網を通じて受信するものでも良い。
【００３４】
次に、図２のフローを用いて、録画予約時のチャンネル選択受付処理について説明する。この処理主体は、録画予約機能７４であり、適宜各部に指示したり、制御部７内の各機能の実行を指示したりする。
ＳＴ１で、チャンネル走査機能７１を実行させ、物理チャンネルを走査して、チャンネルテーブルを更新する。
ＳＴ２で、録画予約処理のためのＯＳＤ表示をして、操作部８から録画予約する仮想チャンネルの選択を受け付け、選択されるまで待機する（ＳＴ２のＮＯ）。操作部８から録画予約する仮想チャンネルの選択を受け付けると（ＳＴ２のＹＥＳ）、ＳＴ３に移動する。
ＳＴ３で、録画予約する仮想チャンネルの番号が、複数の物理チャンネル間で重複しているかどうか判断する。仮想チャンネルの番号が重複している場合には、ＳＴ４に移動する。重複していなければ処理は終了する。
【００３５】
ＳＴ４で、「仮想チャンネルの番号が重複しています」とポップアップでＯＳＤ表示する。そして、ユーザが録画する際に表示するチャンネルとして、「元のチャンネル番号を選択する」、「空チャンネル番号を検索する」のＯＳＤ表示をする。そして、ＳＴ５でこの選択を操作部８から受け付ける。「元のチャンネル番号を選択する」が選択された場合（ＳＴ５のＹＥＳ）には、ＳＴ６で、録画予約チャンネルとして元のチャンネル番号を設定する。「空チャンネル番号を検索する」が選択された場合（ＳＴ５のＮＯ）には、ＳＴ７で、空チャンネル番号を検索して仮想チャンネルを設定する。
【００３６】
その後、この処理フローは終了する。なお、このフローの終了後は、続けて録画時刻の設定や、別の番組の録画設定を受け付ける。そして、この別の番組の録画設定処理において、チャンネル選択がされると、この処理フローを再度実行する。
【００３７】
図２で示した録画予約機能７４について補足する。以上の説明では、チャンネル番号と、録画時刻を指定するとしたが、デジタル放送録画装置１がインターネットを受信する機能を備え、番組一覧をインターネットを介してダウンロードして、録画番組の選択を受け付けるようにしても良い。ＳＴ１で、常に物理チャンネルを走査するとしたが、このようにインターネットでチャンネル番号の総数を把握できる場合には、ＳＴ１の実施をせずに、ＳＴ２の後、選択されるチャンネルのみ重複しているかどうか判断するため、必要最小限の物理チャンネルについて、チャンネル走査機能７１を実行しても良い。
【００３８】
また、ＳＴ１のチャンネル走査機能７１を必ずしも実行しなくてもよいが、デジタル放送では、途中で放送が途絶えて復活することが頻繁に起こりことがある。そこで、ユーザが意図する番組を確実に録画するには、事前にＳＴ１のチャンネル走査機能７１をするのが望ましい。また、ＳＴ３で所望のチャンネルが表示されない場合に、チャンネル走査機能７１の動作の実行を受け付けるようにしてもよい。
ＳＴ６で、空チャンネル番号を検索しているが、これに限らず、ユーザの所望のチャンネル設定を受け付けても良い。録画時に設定するチャンネルは、その録画するファイルのみに影響し、他のチャンネルには影響しない設定も可能だからである。また、ＳＴ６で自動設定するのではなく、空チャンネル番号の候補を表示して、ユーザが空チャンネル番号を選択できるようにしても良い。
【００３９】
次に、図３、図４を用いて、第１の実施形態の応用に係る第２の実施形態のデジタル放送受信装置（図中１Ａで図示）について説明する。図３は、デジタル放送受信装置１Ａの構成図、図４は、初期設定時等に設定するチャンネル設定処理を表すフロー図である。デジタル放送受信装置１Ａは、デジタル放送を受信する装置であり、テレビ受像機の外付けの装置または内蔵される装置である。第１の実施形態のデジタル放送録画装置１と異なり録画部３がない。その他の構成は、デジタル放送録画装置１の構成と同じであり、以上の説明を準用する。
【００４０】
図４のフロー図は、操作部８から所定の入力を受けた場合に制御部７が実行する。具体的には、主にユーザがデジタル放送受信装置１Ａのセットを購入したときなどに、最初に仮想チャンネルを設定するとき、後で仮想チャンネルを設定し直すときに実行するものである。このフローを実行すれば、操作部８のリモコンから番組のチャンネル選択が可能となる。
ＳＴ１１で、チャンネル走査機能７１を実行させ、物理チャンネルを走査して、チャンネルテーブルを作成し、メモリに記憶させる。
ＳＴ１２で、マニュアルプリセット機能７３を実行させ、チャンネル設定を行う。
ＳＴ１３で、チャンネルテーブルを参照し、仮想チャンネルの番号が、複数の物理チャンネル間で重複しているかどうか判断する。仮想チャンネルの番号が重複している場合（ＳＴ１３のＹＥＳ）には、ＳＴ１４に移動する。重複していなければ（ＳＴ１３のＮＯ）、処理は終了する。
ＳＴ１４で、「仮想チャンネルの番号が複数の物理チャンネル間で重複しています」旨のＯＳＤ表示、および「マニュアルプリセットしますか  ＹＥＳ/ＮＯ」のポップ表示をＯＳＤで表示する。
ＳＴ１５で、マニュアルプリセットの指示入力をＹＥＳ/ＮＯの２者択一の選択で受け付け、操作部８から受け付け、この指示入力があるかどうか判断する。マニュアルプリセットの指示入力が「ＹＥＳ」の場合（ＳＴ１５のＹＥＳ）、ＳＴ１６に進む。ＳＴ１６では、空チャンネル番号を検索し、仮想チャンネルを自動的に設定する。マニュアルプリセットの指示入力が「ＮＯ」の場合（ＳＴ１５のＮＯ）、ＳＴ１６で、仮想チャンネルを重複したまま設定する。例えば、一方のチャンネルだけ登録する。
【００４１】
なお、ＳＴ１６で空チャンネル番号を検索し、仮想チャンネルを自動的に設定したが、空チャンネル番号の候補を１つ示し、ユーザに確認するため「チャンネルｘｘに設定します。ＹＥＳ/ＮＯ」の表示を行なって、その確認入力を（ＹＥＳ/ＮＯ）で受け付け、「ＮＯ」の場合にはその他の空チャンネル番号の候補を示しながら、選択させるようにしても良い。ただし、このような選択を要求することすら、ユーザには設定が困難と感じさせることが多いから、最初に表示する候補は、上述の通り「チャンネルｘｘに設定します。ＹＥＳ/ＮＯ」として、空チャンネル番号の候補を１つに絞るのが望ましい。
【００４２】
また、第１の実施形態のデジタル放送録画装置１についても、チャンネルの初期設定時に、図４で示した第２実施形態のデジタル放送受信装置１Ａの初期設定を行ってもよい。また、第１の実施形態のデジタル放送録画装置１では、録画予約時に設定したチャンネルを、単に録画時のチャンネルとしてだけでなく、デジタル放送録画装置１のチャンネルとして設定しても良い。
【図面の簡単な説明】
【００４３】
【図１】第１実施形態のデジタル放送録画装置の構成図
【図２】第１実施形態のデジタル放送録画装置における録画予約処理のフロー図
【図３】第２実施形態のデジタル放送受信装置（テレビ受像機）の構成図
【図４】第２実施形態のデジタル放送受信装置におけるチャンネル登録処理のフロー図
【符号の説明】
【００４４】
１−デジタル放送録画装置、  １Ａ−デジタル放送受信装置
２１−チューナ部、  ２２−ＴＶデコーダ
３−録画部、  ３１−エンコーダ、  ３２−記録部、  ３３−デコーダ、  ３４−タイマ
４１−セレクタ、  ４２−セレクタ、  ５−ＯＳＤ合成部
６１−Ｄ／Ａ変換器、  ６２−Ｄ／Ａ変換器
７−制御部、  ７１−チャンネル走査機能、  ７２−オートプリセット機能
７３−マニュアルプリセット機能、  ７４−録画予約機能
８−操作部、  １０１−アンテナ、  １０２−表示器、  １０３−スピーカ
【図１】
2008085725.tif 000003
【図２】
2008085725.tif 000004
【図３】
2008085725.tif 000005
【図４】
2008085725.tif 000006